(57)【要約】      （修正有）【課題】他無線通信装置との間でデータ通信を行う前に、データ通信に必要な制御情報信号を用いた設定処理を行う無線通信装置で、設定処理の安全性を向上させ、かつ消費電力を低減する。【解決手段】受信アナログ信号を増幅する可変ゲインアンプ１１６と、前記増幅された受信アナログ信号をデジタル信号に変換するＡ／Ｄ変換器１１７と、前記デジタル信号の電力を測定する電力測定部１１８と、前記デジタル信号を復調する復号部１１９と、前記復調されたデジタル信号から前記設定処理が完了したか否かを判定する設定処理判定部１２０と、前記設定処理時の前記Ａ／Ｄ変換器の分解能を、データ通信時の分解能より小さくする分解能制御部１２１と、前記電力の測定結果に基づき前記可変ゲインアンプの利得を調整し、前記設定処理の完了前は前記利得が所定値を超えないように制限する利得制御部１２２と、を備える。【選択図】図５
2010183404.tif 000002
【特許請求の範囲】
【請求項１】
他無線通信装置との間でデータ通信を行う前に、データ通信に必要な制御情報信号を用いた設定処理を行う無線通信装置であって、
受信アナログ信号を増幅する可変ゲインアンプと、
前記増幅された受信アナログ信号をデジタル信号に変換するＡ／Ｄ変換器と、
前記デジタル信号の電力を測定する電力測定部と、
前記デジタル信号を復調する復号部と、
前記復調されたデジタル信号から前記設定処理が完了したか否かを判定する設定処理判定部と、
前記設定処理時の前記Ａ／Ｄ変換器の分解能を、データ通信時の分解能より小さくする分解能制御部と、
前記電力の測定結果に基づき前記可変ゲインアンプの利得を調整し、前記設定処理時は前記利得が所定値を超えないように制限する利得制御部と、
を備える無線通信装置。
【請求項２】
前記分解能制御部は、待ち受け時の前記Ａ／Ｄ変換器の分解能を、データ通信時の分解能より小さく設定し、
前記利得制御部は、前記待ち受け状態において、前記可変ゲインアンプの利得が所定値を超えないように制限することを特徴とする請求項１に記載の無線通信装置。
【請求項３】
前記Ａ／Ｄ変換器は、前記設定処理時は、前記増幅された受信アナログ信号が第１の参照電圧以下か、又は前記第１の参照電圧より高い第２の参照電圧以上であるかを判定することで、前記デジタル信号への変換を行うことを特徴とする請求項１に記載の無線通信装置。
【請求項４】
前記Ａ／Ｄ変換器は、前記増幅された受信アナログ信号及び互いに異なる参照電圧が与えられる並列接続された複数の比較器を有し、
前記分解能制御部は、前記設定処理時に動作させる前記比較器の数を、データ通信時に動作させる前記比較器の数より少なくすることを特徴とする請求項１に記載の無線通信装置。
【請求項５】
前記Ａ／Ｄ変換器は、
前記増幅された受信アナログ信号と参照電圧との比較を行う比較器と、
前記比較器の比較結果を記憶し、前記比較結果に対応する前記デジタル信号を出力するレジスタと、
前記デジタル信号をデジタルアナログ変換して前記参照電圧を生成するＤ／Ａ変換器と、
を有し、
前記分解能制御部は、前記レジスタの書き替えを行うことを特徴とする請求項１に記載の無線通信装置。
【請求項６】
前記分解能制御部は、前記参照電圧が第１の電圧となるように前記レジスタの書き替えを行い、前記増幅された受信アナログ信号の電圧が前記第１の電圧より高い場合は、前記参照電圧が前記第１の電圧より高い第２の電圧となるように前記レジスタの書き替えを行うことを特徴とする請求項５に記載の無線通信装置。
【請求項７】
前記Ａ／Ｄ変換器は、前記増幅された受信アナログ信号が時分割で切り替えて与えられる複数のサブＡ／Ｄ変換器を有し、
前記分解能制御部は、前記設定処理時に動作させる前記サブＡ／Ｄ変換器の数を、データ通信時に動作させる前記サブＡ／Ｄ変換器の数より少なくすることを特徴とする請求項１に記載の無線通信装置。
【請求項８】
前記復調されたデジタル信号がヘッダ部であるか又はペイロード部であるかを判定するヘッダ判定部をさらに備え、
前記分解能制御部は、前記ヘッダ判定部の判定結果に基づき、前記ヘッダ部の処理時の前記Ａ／Ｄ変換器の分解能を、前記ペイロード部の処理時の分解能より小さくすることを特徴とする請求項１に記載の無線通信装置。
【請求項９】
前記復調されたデジタル信号から前記受信アナログ信号の信号形式を判定する信号形式判定部をさらに備え、
前記分解能制御部は、前記信号形式判定部の判定結果に基づいて前記Ａ／Ｄ変換器の分解能を調整することを特徴とする請求項１に記載の無線通信装置。
【請求項１０】
前記信号形式判定部は変調方式を判定し、
前記分解能制御部は、前記変調方式における変調多値数が小さいほど、前記Ａ／Ｄ変換器の分解能を小さくすることを特徴とする請求項９に記載の無線通信装置。
【請求項１１】
電源残量を検知する検知部をさらに備え、
前記分解能制御部は、前記電源残量が所定値以下になった場合、前記Ａ／Ｄ変換器の分解能を小さくすることを特徴とする請求項９に記載の無線通信装置。
【請求項１２】
他無線通信装置との間でデータ通信を行う前に、データ通信に必要な制御情報信号を用いた設定処理を行う無線通信装置であって、
第１のローカル信号を出力するローカル発振器と、
前記第１のローカル信号の位相を９０度移相して第２のローカル信号を出力する移相部と、
受信アナログ信号と前記第１のローカル信号とを乗算して周波数変換し、第１のアナログ信号を生成する第１のミキサと、
前記受信アナログ信号と前記第２のローカル信号とを乗算して周波数変換し、第２のアナログ信号を生成する第２のミキサと、
前記第１のアナログ信号を増幅する第１の可変ゲインアンプと、
前記第２のアナログ信号を増幅する第２の可変ゲインアンプと、
前記増幅された第１のアナログ信号を第１のデジタル信号に変換する第１のＡ／Ｄ変換器と、
前記増幅された第２のアナログ信号を第２のデジタル信号に変換する第２のＡ／Ｄ変換器と、
前記設定処理の間は、前記第１の可変ゲインアンプ及び前記第１のＡ／Ｄ変換器、又は前記第２の可変ゲインアンプ及び前記第２のＡ／Ｄ変換器を停止させるデジタル信号処理部と、
を備え、
前記制御情報信号は、同相成分と直交成分とで同じ情報を持つことを特徴とする無線通信装置。
【請求項１３】
前記制御情報信号は、連続する２つのシンボル毎に同じ情報が割り当てられるようにπ／２シフトＢＰＳＫ方式で変調されていることを特徴とする請求項１２に記載の無線通信装置。
【請求項１４】
前記制御情報信号は、すべてのシンボルにおいて同相成分と直交成分が同じ振幅を持つように位相変調されていることを特徴とする請求項１２に記載の無線通信装置。
【請求項１５】
データ通信を行う前に、データ通信に必要な制御情報信号を用いた設定処理を行う第１の無線通信装置及び第２の無線通信装置を備える無線通信システムであって、
前記第１の無線通信装置は、同相成分と直交成分とで同じ情報を持つ前記制御情報信号を前記第２の無線通信装置へ送信し、
前記第２の無線通信装置は、
第１のローカル信号を出力するローカル発振器と、
前記第１のローカル信号の位相を９０度移相して第２のローカル信号を出力する移相部と、
前記第１の無線通信装置から受け取った受信信号と前記第１のローカル信号とを乗算して周波数変換し、第１のアナログ信号を生成する第１のミキサと、
前記受信信号と前記第２のローカル信号とを乗算して周波数変換し、第２のアナログ信号を生成する第２のミキサと、
前記第１のアナログ信号を増幅する第１の可変ゲインアンプと、
前記第２のアナログ信号を増幅する第２の可変ゲインアンプと、
前記増幅された第１のアナログ信号を第１のデジタル信号に変換する第１のＡ／Ｄ変換器と、
前記増幅された第２のアナログ信号を第２のデジタル信号に変換する第２のＡ／Ｄ変換器と、
前記設定処理の間は、前記第１の可変ゲインアンプ及び前記第１のＡ／Ｄ変換器、又は前記第２の可変ゲインアンプ及び前記第２のＡ／Ｄ変換器を停止させるデジタル信号処理部と、
を有することを特徴とする無線通信システム。
【請求項１６】
受信アナログ信号を増幅する可変ゲインアンプ、及び前記増幅された受信アナログ信号をデジタル信号に変換するＡ／Ｄ変換器を有し、他無線通信装置との間でデータ通信を行う前に、データ通信に必要な制御情報信号による設定処理を行う無線通信装置を用いた無線通信方法であって、
前記設定処理の完了前は、前記Ａ／Ｄ変換器の分解能が第１の分解能となるように制御し、前記可変ゲインアンプの利得を、所定値を超えないように前記デジタル信号の電力に基づいて調整し、
データ通信時は、前記Ａ／Ｄ変換器の分解能が前記第１の分解能より大きい第２の分解能となるように制御し、前記可変ゲインアンプの利得を前記デジタル信号の電力に基づいて調整することを特徴とする無線通信方法
【発明の詳細な説明】
【技術分野】
【０００１】
本発明は、無線通信装置、無線通信システム、及び無線通信方法に関するものである。
【背景技術】
【０００２】
近距離無線システムでは、通信における高い安全性と、システム全体を通しての低消費電力化が要求される。一般に、無線機では、無線データ通信を行う前に、通信に必要な設定処理が行われる。この設定処理は、認証などの特に高いセキュリティが要求される処理を含むことが多い。
【０００３】
この設定処理の安全性を高める手法として、設定処理を行う際に、送信電力を制限する、又は受信感度を低く設定することで通信可能エリアを狭くする手法が知られている（例えば特許文献１参照）。
【０００４】
しかし、このような手法は、送信電力や受信感度を制御するだけであるため、大きな電力を持つ雑音信号に対しても設定処理を試みることで消費電力が増大するおそれがある。
【０００５】
消費電力を抑える手法として、伝送される各パケット信号の先頭部に含まれるＳＮ比（信号電力対雑音電力比）の大きい同期信号を受信する時に、Ａ／Ｄ変換器のＬＳＢ（Ｌｅａｓｔ  Ｓｉｇｎｉｆｉｃａｎｔ  Ｂｉｔ）をオフにすることで分解能を低くする手法が知られている（例えば特許文献２参照）。Ａ／Ｄ変換器の消費電力は分解能に影響されるため、分解能を低くした分だけ消費電力の削減を図ることができる。
【０００６】
認証処理などに代表される設定処理では、設定情報信号の電力が閾値レベルを超えたか否かを判定することが要求される。上述のような手法を適用したＡ／Ｄ変換器でこの判定を行う場合、Ａ／Ｄ変換器にはある程度以上の分解能を設定する必要があるため、消費電力の削減効果は小さくなる。
【０００７】
このように従来は、設定処理の安全性の向上と消費電力の低減とを同時に実現することが困難であるという問題があった。
【先行技術文献】
【特許文献】
【０００８】
【特許文献１】特開２００５−１５９６９０号公報
【特許文献２】特開２００８−１７７６３９号公報
【発明の概要】
【発明が解決しようとする課題】
【０００９】
本発明は、設定処理の安全性を向上させ、かつ消費電力を低減する無線通信装置、無線通信システム、及び無線通信方法を提供することを目的とする。
【課題を解決するための手段】
【００１０】
本発明の一態様による無線通信装置は、他無線通信装置との間でデータ通信を行う前に、データ通信に必要な制御情報信号を用いた設定処理を行う無線通信装置であって、受信アナログ信号を増幅する可変ゲインアンプと、前記増幅された受信アナログ信号をデジタル信号に変換するＡ／Ｄ変換器と、前記デジタル信号の電力を測定する電力測定部と、前記デジタル信号を復調する復号部と、前記復調されたデジタル信号から前記設定処理が完了したか否かを判定する設定処理判定部と、前記設定処理時の前記Ａ／Ｄ変換器の分解能を、データ通信時の分解能より小さくする分解能制御部と、前記電力の測定結果に基づき前記可変ゲインアンプの利得を調整し、前記設定処理時は前記利得が所定値を超えないように制限する利得制御部と、を備えるものである。
【００１１】
本発明の一態様による無線通信装置は、他無線通信装置との間でデータ通信を行う前に、データ通信に必要な制御情報信号を用いた設定処理を行う無線通信装置であって、第１のローカル信号を出力するローカル発振器と、前記第１のローカル信号の位相を９０度移相して第２のローカル信号を出力する移相部と、受信アナログ信号と前記第１のローカル信号とを乗算して周波数変換し、第１のアナログ信号を生成する第１のミキサと、前記受信アナログ信号と前記第２のローカル信号とを乗算して周波数変換し、第２のアナログ信号を生成する第２のミキサと、前記第１のアナログ信号を増幅する第１の可変ゲインアンプと、前記第２のアナログ信号を増幅する第２の可変ゲインアンプと、前記増幅された第１のアナログ信号を第１のデジタル信号に変換する第１のＡ／Ｄ変換器と、前記増幅された第２のアナログ信号を第２のデジタル信号に変換する第２のＡ／Ｄ変換器と、前記設定処理の間は、前記第１の可変ゲインアンプ及び前記第１のＡ／Ｄ変換器、又は前記第２の可変ゲインアンプ及び前記第２のＡ／Ｄ変換器を停止させるデジタル信号処理部と、を備え、前記制御情報信号は、同相成分と直交成分とで同じ情報を持つことを特徴とするものである。
【００１２】
本発明の一態様による無線通信システムは、データ通信を行う前に、データ通信に必要な制御情報信号を用いた設定処理を行う第１の無線通信装置及び第２の無線通信装置を備える無線通信システムであって、前記第１の無線通信装置は、同相成分と直交成分とで同じ情報を持つ前記制御情報信号を前記第２の無線通信装置へ送信し、前記第２の無線通信装置は、第１のローカル信号を出力するローカル発振器と、前記第１のローカル信号の位相を９０度移相して第２のローカル信号を出力する移相部と、前記第１の無線通信装置から受け取った受信信号と前記第１のローカル信号とを乗算して周波数変換し、第１のアナログ信号を生成する第１のミキサと、前記受信信号と前記第２のローカル信号とを乗算して周波数変換し、第２のアナログ信号を生成する第２のミキサと、前記第１のアナログ信号を増幅する第１の可変ゲインアンプと、前記第２のアナログ信号を増幅する第２の可変ゲインアンプと、前記増幅された第１のアナログ信号を第１のデジタル信号に変換する第１のＡ／Ｄ変換器と、前記増幅された第２のアナログ信号を第２のデジタル信号に変換する第２のＡ／Ｄ変換器と、前記設定処理の間は、前記第１の可変ゲインアンプ及び前記第１のＡ／Ｄ変換器、又は前記第２の可変ゲインアンプ及び前記第２のＡ／Ｄ変換器を停止させるデジタル信号処理部と、を有することを特徴とするものである。
【００１３】
本発明の一態様による無線通信方法は、受信アナログ信号を増幅する可変ゲインアンプ、及び前記増幅された受信アナログ信号をデジタル信号に変換するＡ／Ｄ変換器を有し、他無線通信装置との間でデータ通信を行う前に、データ通信に必要な制御情報信号による設定処理を行う無線通信装置を用いた無線通信方法であって、前記設定処理の完了前は、前記Ａ／Ｄ変換器の分解能が第１の分解能となるように制御し、前記可変ゲインアンプの利得を、所定値を超えないように前記デジタル信号の電力に基づいて調整し、データ通信時は、前記Ａ／Ｄ変換器の分解能が前記第１の分解能より大きい第２の分解能となるように制御し、前記可変ゲインアンプの利得を前記デジタル信号の電力に基づいて調整することを特徴とするものである。
【発明の効果】
【００１４】
本発明によれば、設定処理の安全性を向上させ、かつ消費電力を低減することができる。
【図面の簡単な説明】
【００１５】
【図１】本発明の第１の実施形態に係る無線通信システムの概略構成図である。
【図２】設定処理フェーズとデータ通信フェーズにおける伝送信号を説明する図である。
【図３】設定処理フェーズとデータ通信フェーズにおける受信感度設定を示す図である。
【図４】同第１の実施形態に係る無線通信方法を説明するフローチャートである。
【図５】同第１の実施形態に係る無線通信装置における受信回路の概略構成図である。
【図６】Ｆｌａｓｈ型Ａ／Ｄ変換器の概略構成図である。
【図７】Ａ／Ｄ変換器の入出力関係の一例を示すグラフである。
【図８】ＶＧＡの入力信号レベルと利得の関係を示すグラフである。
【図９】ＶＧＡの利得と出力レベルの関係を示すグラフである。
【図１０】ＶＧＡ及びＡ／Ｄ変換器の入出力関係の一例を示すグラフである。
【図１１】ＶＧＡ及びＡ／Ｄ変換器の入出力関係の一例を示すグラフである。
【図１２】ＳＡＲ型Ａ／Ｄ変換器の概略構成図である。
【図１３】ＳＡＲ型Ａ／Ｄ変換器の動作例を示す図である。
【図１４】時分割型Ａ／Ｄ変換器の概略構成図である。
【図１５】本発明の第２の実施形態に係る無線通信装置における受信回路の概略構成図である。
【図１６】通信パケットの構成例を示す図である。
【図１７】本発明の第３の実施形態に係る無線通信装置における受信回路の概略構成図である。
【図１８】本発明の第４の実施形態に係る無線通信装置における受信回路の概略構成図である。
【図１９】本発明の第５の実施形態に係る無線通信装置における受信回路の概略構成図である。
【発明を実施するための形態】
【００１６】
以下、本発明の実施の形態を図面に基づいて説明する。
【００１７】
（第１の実施形態）図１に本発明の第１の実施形態に係る無線通信システムの概略構成を示す。無線通信システムは、無線通信を行う無線通信装置１００Ａ、１００Ｂを備える。無線通信装置１００Ａ、１００Ｂは同様の構成となっており、それぞれ受信回路１１０、送信回路１３０、及び制御回路１４０を有する。受信回路１１０は、信号の受信、復調等を行う。送信回路１３０は、信号の変調、送信等を行う。制御回路１４０は、受信データ処理、送信データ生成、受信回路１１０及び送信回路１３０の制御などを行う。
【００１８】
無線通信装置１００Ａ、１００Ｂによる無線通信は、通信に必要な設定処理を行う設定処理フェーズと、データ信号の伝送を行うデータ通信フェーズとを含む。図２に示すように、設定処理フェーズでは、データ通信に必要な制御情報が伝送される。制御情報は例えばデータ長、データ変調形式等の情報を含む。
【００１９】
設定処理フェーズでは、無線通信装置１００Ａ、１００Ｂの受信感度は低く設定される。そのため、図３（ａ）に示すように、無線通信装置１００Ａ、１００Ｂが離れている時は設定処理が行われない。無線通信装置１００Ａ、１００Ｂが離れている時に制御情報の伝送を行うと、他端末に制御情報が盗聴されるおそれがあり、セキュリティの観点から好ましくないためである。図３（ｂ）に示すように、無線通信装置１００Ａ、１００Ｂが近接している時は設定処理が実行される。
【００２０】
設定処理が完了した後（データ通信フェーズ）は、無線通信装置１００Ａ、１００Ｂの受信感度は高く設定され得る。そのため、図３（ｃ）に示すように、無線通信装置１００Ａ、１００Ｂが離れていても、データ通信を行うことができる。
【００２１】
図４に示すフローチャートを用いて、無線通信装置１００Ａ、１００Ｂが無線通信を行う場合の処理の一例を説明する。
【００２２】
（ステップＳ１０１）無線通信装置１００Ａの送信回路１３０が、無線通信装置１００Ｂへ接続要求信号を送信する。無線通信装置１００Ｂの受信回路１１０が接続要求信号を受信する。
【００２３】
（ステップＳ１０２）無線通信装置１００Ｂの送信回路１３０が、無線通信装置１００Ａへ接続応答信号を送信する。無線通信装置１００Ａの受信回路１１０が接続応答信号を受信する。
【００２４】
（ステップＳ１０３）無線通信装置１００Ａの送信回路１３０が、無線通信装置１００Ｂへ制御情報信号を送信する。無線通信装置１００Ｂの受信回路１１０が制御情報信号を受信する。
【００２５】
（ステップＳ１０４）無線通信装置１００Ｂの送信回路１３０が、無線通信装置１００Ａへ、制御情報信号を正しく受け取ったことを示すＡＣＫ（受領確認）信号を送信する。
【００２６】
無線通信装置１００Ａは、ＡＣＫ信号の受信に伴い設定処理フェーズを解除し、データ通信フェーズに移行する。また、無線通信装置１００Ｂは、ＡＣＫ信号の送信後、無線通信装置１００Ａから再送信号が所定時間の間に送られてこないことを確認し、設定処理フェーズを解除し、データ通信フェーズに移行する。
【００２７】
その後、無線通信装置１００Ａ、１００Ｂ間でデータ信号が伝送される。
【００２８】
図５に、無線通信装置１００Ａ（１００Ｂ）の受信回路１１０の概略構成を示す。受信回路は、アンテナ１１１、アンプ１１２、ミキサ１１３、局部発振器１１４、帯域濾波器（BPF:Band Pass Filter）１１５、可変ゲインアンプ（Variable Gain Amplifier、以下ＶＧＡ）１１６、Ａ／Ｄ変換器１１７、電力測定部１１８、復号部１１９、設定処理判定部１２０、分解能制御部１２１、利得制御部１２２、及び利得リミッタ（利得制限部）１２３を有する。
【００２９】
アンテナ１１１は、この無線通信装置１００Ａ（１００Ｂ）が復調する電波を受信するアンテナである。アンプ１１２は、アンテナ１１１が取り込んだ受信信号を増幅する高周波増幅手段であり、高周波特性のよい低雑音アンプが用いられる。
【００３０】
局部発振器１１４は、アンプ１１２が増幅した受信信号を中間周波数まで周波数変換するためのローカル発振器である。局部発振器１１４は、高周波発振用ＩＣやＰＬＬなどにより直接ローカル信号を生成してもよいし、逓倍器や合成器などにより複数段階を経て目的周波数のローカル信号を生成してもよい。
【００３１】
ミキサ１１３は、アンプ１１２で増幅された受信信号と、局部発振器１１４で生成されたローカル信号とを乗算して、中間周波数まで周波数変換（ダウンコンバート）する。ミキサ１１３によってダウンコンバートされた信号は、帯域濾波器１１５で所望の帯域のみ取り込まれ、ＶＧＡ１１６で増幅される。ＶＧＡ１１６の利得は、利得制御部１２２によって制御される。
【００３２】
ＶＧＡ１１６により増幅された信号は、Ａ／Ｄ変換器１１７によりデジタル信号に変換され、復号部１１９でデータ復調される。電力測定部１１８は、Ａ／Ｄ変換器１１７から出力されるデジタル信号の電力を測定し、測定結果を利得制御部１２２に通知する。
【００３３】
設定処理判定部１２０は、復調されたデータに基づいて、設定処理が正常に終了したか否かを判定し、判定結果を分解能制御部１２１及び利得リミッタ１２３に通知する。
【００３４】
分解能制御部１２１は、判定結果に応じた分解能切替信号を生成してＡ／Ｄ変換器１１７へ出力し、Ａ／Ｄ変換器１１７の分解能を切り替える。具体的には、分解能制御部１２１は、少なくとも設定処理が終了するまでは、Ａ／Ｄ変換器１１７の分解能を、最大分解能より小さい所定の分解能になるように制御する。
【００３５】
つまり、分解能制御部１２１は、設定処理フェーズにおけるＡ／Ｄ変換器１１７の分解能を、データ通信フェーズにおける分解能よりも小さくする。
【００３６】
Ａ／Ｄ変換器１１７としては、例えば図６に示すようなＦｌａｓｈ型のＡ／Ｄ変換器を用いることができる。図６に示すＦｌａｓｈ型Ａ／Ｄ変換器は、Ｖ１からＶ７までの７つの参照電圧に対応した比較器Ｃ１〜Ｃ７を有し、分解能は３ビットである。データ通信フェーズでは、入力信号の電圧Ｖｉｎと、これら７つの参照電圧との比較が同時に行われ、エンコーダを介して３ビットのデジタル信号が出力される。
【００３７】
分解能切替信号により動作させる比較器Ｃ１〜Ｃ７の数を切り替えることで、Ａ／Ｄ変換器１１７の分解能を切り替えることができる。例えば比較器Ｃ１、Ｃ３、Ｃ５、Ｃ７を動作させないようにすることで、２ビットの分解能を実現することができる。
【００３８】
本実施形態では、設定処理フェーズにおいて、Ａ／Ｄ変換器１１７における参照電圧との比較回数を減らすことでＡ／Ｄ変換時の消費電力を削減する。図７にＡ／Ｄ変換器１１７の入出力関係の一例を示す。Ａ／Ｄ変換器１１７は、設定処理フェーズでは、Ｖ1、Ｖ7の２つの参照電圧との比較のみ行い、入力信号電圧がＶ1より小さい場合はデジタル値０を、Ｖ7より大きい場合はデジタル値１を出力する。この時、分解能切替信号により、図６における比較器Ｃ２〜Ｃ６は動作しないように制御される。
【００３９】
すなわち、Ａ／Ｄ変換器１１７への入力信号が、Ａ／Ｄ変換器１１７のダイナミックレンジの飽和レベルに近いくらい大きな電圧振幅を持つ場合にのみ、信号として検出され、デジタル値に変換される。比較器での比較回数は２回となる。
【００４０】
一般に、Ａ／Ｄ変換器では、アナログ入力信号の電圧値を１つ以上の参照電圧レベルと比較し、比較結果に応じたデジタル信号を出力することでＡ／Ｄ変換が実行される。参照電圧との比較回数は、Ａ／Ｄ変換器の分解能によって決まる。分解能がｎビットの場合、参照電圧は２ｎ−１通りの値をもち、それらの参照電圧と入力信号電圧が比較器において比較される。Ａ／Ｄ変換器での消費電力は、比較器での比較回数が支配的であるため、分解能が大きいほど消費電力も大きくなる。
【００４１】
本実施形態では、設定処理フェーズにおいてＡ／Ｄ変換器の分解能を小さくし、比較回数を減らすことで、消費電力を削減できる。
【００４２】
利得リミッタ１２３は、判定結果に応じて、ＶＧＡ１１６の利得制限を行う。具体的には、利得リミッタ１２３は、少なくとも設定処理が終了するまでは、ＶＧＡ１１６の利得を所定の閾値以下にするようにリミット信号を利得制御部１２２へ出力する。利得リミッタ１２３は、設定処理の完了後、リミット解除信号を利得制御部１２２へ出力する。
【００４３】
利得制御部１２２は、電力測定部１１８の測定結果および利得リミッタ１２３から与えられる信号に基づいてＶＧＡ１１６の利得を制御する。具体的には、利得制御部１２２は、利得リミッタ１２３からリミット解除信号が出力されている場合は、電力測定部１１８の測定結果から、ＶＧＡ１１６の出力信号レベル（Ａ／Ｄ変換器１１７への入力信号レベル）が一定になるように、ＶＧＡ１１６の利得を制御する。従って、図８（ａ）に示すように、ＶＧＡ１１６の入力信号レベルが大きくなるに伴い、ＶＧＡ１１６の利得は小さくなるように制御される。
【００４４】
一方、利得制御部１２２は、利得リミッタ１２３からリミット信号が出力されている場合は、ＶＧＡ１１６の利得が所定の閾値を超えないように制御を行う。従って、図８（ｂ）に示すように、ＶＧＡ１１６の入力信号レベルが小さくなるに伴い、ＶＧＡ１１６の利得は大きくなるが、所定の閾値αは超えないように制御される。
【００４５】
図９にＶＧＡ１１６の利得と出力レベルの関係の一例を示す。本実施形態では、少なくとも設定処理フェーズの間、ＶＧＡ１１６の利得が所定の閾値α以下になるように制御される。
【００４６】
図９では、ＶＧＡ１１６の入力電界が７０ｄＢｕの信号は、出力段階でのＳＮ比がＳＮ１になり、入力電界が６０ｄＢｕの信号はＳＮ２となる。すなわち、ＶＧＡ１１６への入力電界レベルに応じて出力段でのＳＮ比が変わるため、電界レベルの低い入力信号は十分に増幅されず、正しく受信することができない。
【００４７】
ＶＧＡ１１６の利得を閾値α以下に制御することにより、受信感度を下げていることになる。このようにすることで、入力電界のレベルが小さくなるような遠距離にいる無線通信装置からの接続要求信号は正常に受信処理されず、設定処理が行われないため、設定処理フェーズでのセキュリティを高めることができる。
【００４８】
さらに本実施形態では、上述のように、少なくとも設定処理フェーズが終了するまでは、Ａ／Ｄ変換器１１７の分解能を低くなるよう制御している。Ａ／Ｄ変換器１１７の消費電力は分解能に大きく支配されるため、分解能を低く設定することで消費電力を削減する。一般に、ダイナミックレンジを一定に保ったままＡ／Ｄ変換器１１７の分解能を低くすると、量子化雑音が大きくなるため、高い伝送レートが望めない。しかし、設定処理フェーズにおいて交換される信号は、接続要求信号や認証鍵信号であり、情報量が多くないという特徴があるため、低分解能にすることによる不利な影響は小さい。
【００４９】
さらに、分解能低下に応じてＳＮ比が劣化する分だけ、無線通信装置同士がより近接して設定処理を行う必要が生じるため、安全性の高い設定処理と低消費電力の両者を実現することが可能となる。
【００５０】
設定処理フェーズが終了した後は、利得リミッタ１２３がリミット解除信号を出力してＶＧＡ１１６がα以上の利得をとれるように変更し、Ａ／Ｄ変換器１１７の分解能もより高くなるよう制御することで、高い伝送レートでの無線通信をおこなうことが可能となる。
【００５１】
図１０にＶＧＡ１１６およびＡ／Ｄ変換器１１７の入出力関係の一例を示す。本実施形態におけるＡ／Ｄ変換器１１７は、設定処理フェーズでは低い参照電圧Ｖ1と高い参照電圧Ｖ7のみでＡ／Ｄ変換を行う。従って、図１０（ａ）に示すように、Ａ／Ｄ変換器１１７にレベルの高いノイズが一時的に入力された場合は、振幅の低い部分では信号が検出されない。
【００５２】
図１０（ｂ）に示すように、Ｖ1より低い電圧値又はＶ7より高い電圧値を繰り返すような、大きな振幅の安定した信号が入力された時のみ、Ａ／Ｄ変換器１１７から連続してデジタル信号が出力される。例えば、ＢＰＳＫ方式やＱＰＳＫ方式のように、振幅変動のない変調方式で変調された信号が安定した環境で到来する場合に、デジタル信号を適切に復調することができる。このような構成をとることで、一時的に大きなレベルのノイズが入力された場合も、Ａ／Ｄ変換器１１７の出力段で制御情報信号か否かの判断をすることが可能となり、誤った設定処理を防ぐことができる。
【００５３】
また、本実施形態では設定処理フェーズが終了するまではＶＧＡの利得を所定の閾値以下になるように制御するため、安全性の高い設定処理を行うことができる。図１１を用いて、本実施形態によるＶＧＡの利得制御方法と、比較例によるＶＧＡの利得制御法とを説明する。
【００５４】
比較例による利得制御方法では、ＶＧＡの利得制限を行わず、Ａ／Ｄ変換器への入力信号レベルが一定になるようにＶＧＡの利得を制御するため、ＶＧＡへの入力信号レベルによらず、ＶＧＡの出力信号レベルはほぼ一定となる。
【００５５】
例えば図１１（ａ）及び図１１（ｂ）に示すようにＶＧＡへの入力信号のレベルが異なる場合であっても、比較例による利得制御方法では、増幅後のＡ／Ｄ変換器への入力信号の信号レベルは、図１１（ｃ）および図１１（ｅ）に示すように、ほぼ一定になる。
【００５６】
一方、本実施形態による利得制御方法では、利得が所定の閾値以下になるように制御するため、例えば図１１（ａ）および図１１（ｂ）に示すようなＶＧＡ入力信号に対して、出力信号は図１１（ｄ）および図１１（ｆ）のようになる。図１１（ａ）のようにＶＧＡへの入力信号レベルが小さい場合は、信号が十分に増幅されないため、Ａ／Ｄ変換器での信号判定レベルに到達せず、デジタル信号として検出されない。すなわち、無線通信の相手端末が十分に近接し、受信信号レベルがある程度以上に大きくなる場合にのみ、信号が検出され、設定処理が行われる。近接する端末に対してのみ設定処理を実行することで、設定処理フェーズの安全性を向上させている。
【００５７】
ＶＧＡの利得制御の閾値は、設定処理を許可する信号レベルに応じて設定することができる。例えば図１１に示すように、Ａ／Ｄ変換器の信号判定レベル［Ｖ１  Ｖ７］に対して、ＶＧＡへの入力信号がＶβより大きいレベルを有する場合にのみ設定処理を行いたい場合、ＶＧＡ利得の閾値として（Ｖ７／Ｖβ）を設定する。その結果、最大値がＶβ以下の信号は検出されなくなる。
【００５８】
一方、Ｖβより大きい信号はＡ／Ｄ変換器のダイナミックレンジに合わせて適切に増幅され、デジタル信号として検出される。
【００５９】
なお、ＶＧＡの利得閾値（制限値）は、信号レベルの最大値ではなく平均値に合わせて制御してもよい。本実施形態ではＶＧＡの利得に制限を設け、さらにＡ／Ｄ変換器での信号検出法を工夫することで、安全性の高い設定処理を実現している。
【００６０】
図６、図７から分かるように、本実施形態では、入力信号Ｖｉｎと参照電圧Ｖ１との比較、およびＶｉｎとＶ７との比較の両方を正確に行うために２つの比較器を動作させるだけでよい。そのため、７つの比較器すべてを動作させる場合と比較して、Ａ／Ｄ変換器の消費電力を２／７程度に削減できる。
【００６１】
このように、本実施形態により、設定処理の安全性を向上させ、かつ消費電力を低減することができる。
【００６２】
なお、設定処理フェーズで比較をおこなう参照電圧はＶ１とＶ７ではなく、例えばＶ２とＶ６でも良い。Ａ／Ｄ変換器のダイナミックレンジに対して、設定情報信号として判断すべき入力信号の電圧レベルに応じて参照電圧を選ぶことが好ましい。
【００６３】
Ａ／Ｄ変換器の参照信号電圧として０以上の値をもつ単電源の場合で説明したが、正負の値をとる両電源で動作するＡ／Ｄ変換器を用いてもよい。
【００６４】
上記実施形態では、Ａ／Ｄ変換器への入力信号として参照電圧Ｖ１より小さいレベルのものか、Ｖ７より大きいレベルのもののみを信号として検出可能であるとしたが、Ｖ１とＶ７の間のレベルに相当する信号も検出するようにしてもよい。すなわち、Ａ／Ｄ変換器へのアナログ入力信号電圧がＶ1より小さい場合はデジタル値０を、Ｖ7より大きい場合は１を、Ｖ１とＶ７の間に相当する場合は“Ｄｏｎ’ｔ  ｃａｒｅ”信号を出力する。 “Ｄｏｎ’ｔ  ｃａｒｅ”信号は、疑わしいレベルの信号を示すことになり、設定処理フェーズにおいて、“Ｄｏｎ’ｔ  ｃａｒｅ”信号が頻繁に出力されるときはデータ通信フェーズへ移行しない、といった使い方が可能であり、よりセキュリティの高い設定処理を行うことができる。
【００６５】
上記実施形態では、Ａ／Ｄ変換器１１７としてＦｌａｓｈ型のＡ／Ｄ変換器を用いる例について説明したが、図１２に示すようなＳＡＲ（Successive Approximation Register：逐次比較）型のＡ／Ｄ変換器を用いても良い。
【００６６】
ＳＡＲ型のＡ／Ｄ変換器は比較器１６０１を１つだけ有し、逐次比較レジスタ１６０３及びＤ／Ａ変換器１６０４を含む帰還ループ１６０２を介して得られる参照信号電圧Ｖｒｅｆと入力信号電圧Ｖｉｎとの比較を複数回繰り返す。
【００６７】
ｎビットの分解能を持つＳＡＲ型Ａ／Ｄ変換器では、入力信号電圧Ｖｉｎと参照信号電圧Ｖｒｅｆとの比較がｎ回繰り返し行われるが、比較のたびにＶｒｅｆは異なる値をとる。比較結果は逐次比較レジスタ１６０３に記憶され、比較結果に応じたデジタル出力Ｖｏｕｔが出力される。逐次比較レジスタ１６０３からは、次ビットの比較を行うためのデジタル信号がＤ／Ａ変換器１６０４へ出力され、Ｄ／Ａ変換されたアナログ信号電圧（参照信号電圧）Ｖｒｅｆと入力信号電圧Ｖｉｎとの間で、再び比較が行われる。
【００６８】
逐次比較レジスタ１６０３には分解能切替信号が与えられ、所望の参照信号電圧Ｖｒｅｆに対応したデジタル信号をＤ／Ａ変換器１６０４へ送るよう逐次比較レジスタ１６０３を書き換えることで、分解能を変化させることができる。
【００６９】
設定処理フェーズでは、設定処理の安全性を高めるため、Ａ／Ｄ変換器１１７への入力信号が、Ａ／Ｄ変換器のダイナミックレンジの飽和レベルに近いくらい大きな電圧振幅を持つ場合にのみ信号として検出される。
【００７０】
図１３に、設定処理フェーズでのＳＡＲ型Ａ／Ｄ変換器の動作例を示す。１回目の比較は、最小の参照電圧Ｖ１との比較をおこない、Ｖ１よりＶｉｎが小さければデジタル値０を出力する。Ｖ１よりＶｉｎが大きい場合は、２回目の比較として最大の参照電圧Ｖ７との比較をおこなう。Ｖ７よりＶｉｎが大きければデジタル値１を出力する。このような動作によって、電圧振幅の大きい信号のみがデジタル値として検出されることになる。また、比較回数を１回又は２回に抑えることができるため、消費電力を削減できる。なお、設定処理フェーズで比較を行う参照電圧はＶ１とＶ７ではなく、例えばＶ２とＶ６でも良い。
【００７１】
Ａ／Ｄ変換器としては図１４に示すような時分割型のＡ／Ｄ変換器を用いてもよい。時分割型のＡ／Ｄ変換器では、複数の低速なサブＡ／Ｄ変換器を並列に並べた構成をとり、Ａ／Ｄ変換を実行するサブＡ／Ｄ変換器を高速に切り替えることで変換速度を高めている。また、サブＡ／Ｄ変換器を高速に切り替えて、Ａ／Ｄ変換されたデジタル信号をシリアルデータとして出力する。
【００７２】
データ通信フェーズでは全てのサブＡ／Ｄ変換器を使用する。一方、設定処理フェーズでは、サブＡ／Ｄ変換器の切り替え頻度を下げ、分解能切替信号により一部のサブＡ／Ｄ変換器のみを動作させることで、消費電力を削減する。
【００７３】
上記実施形態において、データ通信フェーズでの無線通信は、暗号化する場合としない場合がある。暗号化する場合は、設定処理フェーズで伝送される制御情報に認証鍵情報が含まれる。
【００７４】
また、無線通信装置１００Ａ、１００Ｂは、待ち受けの段階から設定処理フェーズで待ち受けてもよい。すなわち、待ち受け時のＡ／Ｄ変換器の分解能を、データ通信時の分解能より小さく設定してもよい。設定処理フェーズはデータ通信フェーズに比べて低消費電力であるため、設定処理フェーズで待ち受けることで、誤って待ち受け状態が解除された場合に消費される電力を小さく抑えることができる。これにより、大きな電力をもつ雑音信号によって待ち受け状態が解除された場合、設定処理フェーズのまま処理を行い、データ通信フェーズには移行せずに再度待ち受け状態に戻るため、ウェイクアップに伴う消費電力を小さく抑えることができる。
【００７５】
また、無線通信装置１００Ａの周辺に無線通信装置が複数ある場合、互いの信号が干渉しあうことのないよう、他端末の存在を検知する検知モードを設けてもよい。検知モードでは、ＶＧＡ利得の閾値による制御（制限）を行わず、Ａ／Ｄ変換器１１７は低分解能に設定する。ＶＧＡ利得の閾値による制御をオフにすることで、受信信号電力の大小によらず、Ａ／Ｄ変換器のダイナミックレンジに合わせて受信信号電力が増幅される。
【００７６】
その結果、遠方に存在する端末からの信号や、周囲でやりとりしている他端末の信号を検出することが可能となる。他端末の信号を正確に復調する必要はなく、存在を検出することさえできればよいので、Ａ／Ｄ変換器の分解能は低く設定し、消費電力を抑制する。
【００７７】
検知モードにおいて、周囲で他端末同士の信号のやり取りが無いことを確認した後、ＶＧＡ利得の閾値制御をオンに切り替えて通常の設定処理フェーズに移行し、接続要求信号を送信する。
【００７８】
（第２の実施形態）図１５に本発明の第２の実施形態に係る無線通信装置の受信回路の概略構成を示す。受信回路は、図５に示す上記第１の実施形態に係る受信回路１１０にさらにヘッダ判定部１２５を備えた構成となっている。図１６に示すように、一般に、通信パケットはヘッダ部とペイロード部とに分けられる。ヘッダ部は、パケットサイズやＩＤ情報などを格納するもので、情報量は多くない。ヘッダ判定部１２５は、復号部１１９の出力信号がヘッダ部であるか、又はペイロード部であるかを判定し、判定結果を分解能制御部１２１に通知する。
【００７９】
分解能制御部１２１は、設定処理判定部１２０及びヘッダ判定部１２５の判定結果に応じてＡ／Ｄ変換器１１７の分解能を切り替える。具体的には、ヘッダ部ではＡ／Ｄ変換器の分解能を低く制御し、ペイロード部では分解能を高く制御する。
【００８０】
分解能の切り替えタイミングは、ペイロード部の信号が受信され始めるタイミングでもよいし、ペイロード部の信号が復調されてから切り替えてもよい。ヘッダ部の情報に基づいて、ペイロード部の到来タイミングを事前に知ることができるため、どちらのタイミングでもＡ／Ｄ変換器１１７の分解能を制御することができる。
【００８１】
このように、通信パケット内のヘッダ部とデータペイロード部とでＡ／Ｄ変換器１１７の分解能を切り替えても、効果的に消費電力を削減することができる。
【００８２】
（第３の実施形態）図１７に本発明の第３の実施形態に係る無線通信装置の受信回路の概略構成を示す。受信回路は、図５に示す上記第１の実施形態に係る受信回路１１０にさらに信号形式判定部１２７を備えた構成となっている。
【００８３】
信号形式判定部１２７は、復号部１１９の出力信号から、受信した信号の変調方式などの信号形式を判定し、判定結果を分解能制御部１２１に通知する。分解能制御部１２１は、設定処理判定部１２０および信号形式判定部１２７の判定結果に応じて、Ａ／Ｄ変換器１１７の分解能を制御する。
【００８４】
具体的には、分解能制御部１２１は、設定処理判定部１２０の判定結果に基づいて、Ａ／Ｄ変換器１１７の分解能を、設定処理フェーズが終了するまでは、データ通信フェーズより低くなるよう制御する。また、信号形式判定部１２７の判定結果に基づいて、変調多値数が大きいほどＡ／Ｄ変換器１１７の分解能が高くなるよう制御する。
【００８５】
設定処理判定部１２０からの判定結果のみを用いて分解能を制御する場合、Ａ／Ｄ変換器１１７の分解能は高／低の２種類の切り替えになるが、信号形式判定部１２７の判定結果も用いることで、より段階的な分解能制御を行うことが可能となる。
【００８６】
例えば、４ビット分解能のＡ／Ｄ変換器を用いる場合、設定処理フェーズでは１ビット、データ通信フェーズでは４ビット、といった制御パターンが考えられる。しかし、データ通信フェーズにおける信号形式がＢＰＳＫのように変調多値数の低い信号である場合、Ａ／Ｄ変換による量子化雑音の影響が少ないため、分解能を４ビットにするよりも、２ビット又は３ビットでＡ／Ｄ変換したほうが、受信性能の劣化を抑えて消費電力を削減できる。
【００８７】
このように、信号形式に応じて段階的な分解能制御を行うことで、さらに消費電力を削減することができる。
【００８８】
（第４の実施形態）図１８に本発明の第４の実施形態に係る無線通信装置の受信回路の概略構成を示す。受信回路は、図１７に示す上記第３の実施形態に係る受信回路にさらに電源残量検知部１２９を備えた構成となっている。
【００８９】
電源残量検知部１２９は、無線通信装置の電源残量を検知し、分解能制御部１２１に通知する。分解能制御部１２１は、電源残量を考慮して、Ａ／Ｄ変換器１１７の分解能を制御する。
【００９０】
具体的には、分解能制御部１２１は、電源残量検知部１２９の検知結果から、電源残量が少なくなったと判断した場合（電源残量が所定値以下になった場合）、Ａ／Ｄ変換器１１７の分解能を小さくするように制御する。分解能を小さくした分だけ雑音の影響が大きくなり、伝送レートが下がることになるが、消費電力が削減されるため、無線通信装置をより長時間使用することが可能となる。
【００９１】
このような電源残量に応じて消費電力を抑制できる構成は、移動通信端末のように、使用電力が限られた無線通信装置に適用することが好適である。
【００９２】
（第５の実施形態）図１９に本発明の第５の実施形態に係る無線通信装置の受信回路の概略構成を示す。本実施形態に係る受信回路は直交復調型である。受信回路は、アンテナ２１１、アンプ２１２、局部発振器２１３、９０度移相部２１４、アナログ信号処理部２２０、２３０、及びデジタル信号処理部２４０を備える。
【００９３】
アナログ信号処理部２２０は、ミキサ２２１、帯域濾波器２２２、可変ゲインアンプ（以下ＶＧＡ）２２３、及びＡ／Ｄ変換器２２４を有する。同様に、アナログ信号処理部２３０は、ミキサ２３１、帯域濾波器２３２、ＶＧＡ２３３、及びＡ／Ｄ変換器２３４を有する。
【００９４】
アンテナ２１１を介して受信された信号は、アンプ２１２で増幅される。局部発振器２１３はアンプ２１２が増幅した受信信号をベースバンド信号に周波数変換するためのローカル発振器である。
【００９５】
９０度移相部２１４は、局部発振器２１３により生成されたローカル信号の位相を９０度遅らせまたは進める移相器等により実現される。ローカル信号はアナログ信号処理部２２０に入力され、位相が９０度ずらされたローカル信号はアナログ信号処理部２３０に入力される。
【００９６】
アナログ信号処理部２２０において、ミキサ２２１は、アンプ２１２で増幅された受信信号と局部発振器２１３で生成されたローカル信号とを乗算してベースバンド信号に周波数変換する。ミキサ２２１により周波数変換された信号は、帯域濾波器２２２を介して、ＶＧＡ２２３で増幅され、Ａ／Ｄ変換器２２４によりデジタル信号に変換される。
【００９７】
アナログ信号処理部２３０は、アナログ信号処理部２２０と同様の構成となっており、アナログ信号処理部２２０と位相が９０度異なるローカル信号が与えられる。従って、アナログ信号処理部２２０および２３０からは、直交復調されたベースバンド信号ＩおよびＱが出力され、デジタル信号処理部２４０に与えられる。
【００９８】
デジタル信号処理部２４０は、アナログ信号処理部２２０及び２３０から与えられるデジタルベースバンド信号（互いに直交するＩチャネル及びＱチャネルの複素ベースバンド信号）Ｉ、Ｑを復号化し、元のデジタルデータに変換する。復号された元のデジタルデータは、図示しないＤ／Ａ変換部による音声等への変換や、図示しない情報処理装置によるさらなるデータ処理など、データの種類に応じた処理が施される。デジタル信号処理部２４０は図１に示す制御回路１４０に含まれていてもよい。
【００９９】
本実施形態では、少なくとも設定処理フェーズが終わるまでは、同相信号と直交信号から成る受信信号のうち、どちらか一方を受信し、他方を受信しないことで、受信回路の低消費電力化を実現する。
【０１００】
ただし、一般に受信信号は周波数オフセットの影響を受けているため、まずパイロットシンボルを用いて周波数オフセットを補償する。そして、デジタル信号処理部２４０から利得制御信号ＧＳと分解能制御信号ＲＳをフィードバックし、少なくとも設定処理が終わるまでは、アナログ信号処理部２２０又はアナログ信号処理部２３０のＶＧＡ及びＡ／Ｄ変換器を休止させる。
【０１０１】
また、設定処理フェーズにおいて、動作させるＶＧＡの利得を閾値以上にならないように制御（制限）し、Ａ／Ｄ変換器の分解能をデータ通信フェーズより低く設定するようにしてもよい。
【０１０２】
設定処理に用いる制御情報信号は情報量が少なく、高速な通信が要求されないため、受信回路の一部を休止モードにすることで消費電力を削減できる。例えば同相信号のみを受信する場合は、２つずつあるＶＧＡとＡ／Ｄ変換器のうち、ＶＧＡ２２３とＡ／Ｄ変換器２２４を動作させることで消費電力を削減する。同様に、直交信号のみを受信する場合は、ＶＧＡ２３３とＡ／Ｄ変換器２３４を動作させることで消費電力を削減する。
【０１０３】
制御情報信号の変調方式としては、同相成分と直交成分が同じ情報を持つように変調された信号を用いる。例えば、π／２シフトＢＰＳＫ方式で変調された信号は、同相信号と直交信号が１シンボルごとに交互に繰り返されるため、送信側は、制御情報信号を変調する際に、連続する２シンボルに同じデータを割り当てる。受信側では、同相信号のみ、あるいは直交信号のみを復調するだけで制御情報データを得ることができる。
【０１０４】
または、全てのシンボルで同相成分と直交成分が同じ振幅を持つように位相変調された設定情報信号を用いてもよい。すなわち、送信側で、設定情報信号をデータ変調する際に、信号点が信号空間ダイアグラムのｙ＝ｘ（縦軸＝横軸）の直線上に配置されればよい。このような変調信号を受信側で復調する場合、同相信号と直交信号は同じ振幅になるので、いずれか一方の成分を復調するだけで制御情報データを得ることができる。
【０１０５】
このように、直交復調型の受信回路においても、設定処理の安全性を向上させ、かつ消費電力を低減することができる
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【０１０６】
１００Ａ、１００Ｂ  無線通信装置
１１０  受信回路
１１１  アンテナ
１１２  アンプ
１１３  ミキサ
１１４  局部発振器
１１５  バンドパスフィルタ
１１６  可変ゲインアンプ
１１７  Ａ／Ｄ変換器
１１８  電力測定部
１１９  復号部
１２０  設定処理判定部
１２１  分解能制御部
１２２  利得制御部
１２３  利得リミッタ
１３０  送信回路
１４０  制御回路
【図１】
2010183404.tif 000003
【図２】
2010183404.tif 000004
【図３】
2010183404.tif 000005
【図４】
2010183404.tif 000006
【図５】
2010183404.tif 000007
【図６】
2010183404.tif 000008
【図７】
2010183404.tif 000009
【図８】
2010183404.tif 000010
【図９】
2010183404.tif 000011
【図１０】
2010183404.tif 000012
【図１１】
2010183404.tif 000013
【図１２】
2010183404.tif 000014
【図１３】
2010183404.tif 000015
【図１４】
2010183404.tif 000016
【図１５】
2010183404.tif 000017
【図１６】
2010183404.tif 000018
【図１７】
2010183404.tif 000019
【図１８】
2010183404.tif 000020
【図１９】
2010183404.tif 000021